(57)【要約】【課題】携帯電話機のダイヤルロックを一旦解除した場合、携帯電話機の通信伝送状態が続いている間中ダイヤルロック解除ができないようにし、携帯電話機の利便性を高めた携帯電話機のダイヤルロックシステムを提供する。【解決手段】携帯電話機１とロック解除装置２が用いられ、ロック解除装置２はロック解除コードを含む微弱電波を周期的に送信し、携帯電話機１は、ロック解除コードを記憶するコード記憶部９、微弱電波を受けたときロック解除コードを検出するコード受信部９と、送受信信号を形成する送受信制御部３を備え、キー操作時に基地局への接続指令が発生したとき、送受信制御部３は、キー操作する前にコード受信部９で検出したロック解除コードとコード記憶部９に記憶されているロック解除コードを比較し、それらのコードが一致した場合に送受信制御部３を通して基地局への接続を行い、それらのコードが一致しない場合に基地局への接続を行わない。【選択図】図１
2007281935.tif 000002
【特許請求の範囲】
【請求項１】
携帯電話機とロック解除装置とを用い、特定使用者だけに発信が許容される携帯電話機のダイヤルロックシステムであって、前記ロック解除装置は、携帯可能であって、特定使用者により予め指定したロック解除コードを含む微弱電力の電波を周期的に送信できるように動作し、前記携帯電話機は、前記ロック解除装置が送信する予め指定したロック解除コードを記憶するコード記憶手段と、前記ロック解除装置からの送信電波を受けたときにその中のロック解除コードを検出するコード検出手段と、送受信信号を形成する送受信制御手段とを備え、キー操作によって基地局への接続指令が発生したとき、前記送受信制御手段は、前記キー操作する前に前記コード検出手段により検出したロック解除コードと前記コード記憶手段に記憶されているロック解除コードとを比較し、それらのコードが一致した場合に前記送受信制御手段を通して前記基地局への接続を行い、それらのコードが一致しない場合に前記基地局への接続を行わないことを特徴とする携帯電話機のダイヤルロックシステム。
【請求項２】
前記携帯電話機と前記基地局との接続状態は、一旦接続されると、前記携帯電話機が前記ロック解除コードを含む微弱電力の電波の受信が途切れても、その接続状態の終了処理が行われるまで持続することを特徴とする請求項１に記載の携帯電話機のダイヤルロックシステム。
【発明の詳細な説明】
【技術分野】
【０００１】
本発明は、携帯電話機のダイヤルロックシステムに係り、特に、携帯電話機の携帯電話機のダイヤルロックが解除された後の携帯電話機の操作性を良好にした携帯電話機のダイヤルロックシステムに関する。
【背景技術】
【０００２】
従来、携帯電話機のセキュリティーを保持するための手段としては、携帯電話機のような移動体無線機器を必要な条件が整ったときに限ってロック状態を解除させ、通信動作を開始させることができる移動体無線機器の電子ロックシステムが知られており、その中の一つに特開平０６−２７６１４８号公報に開示された移動体無線機器の電子ロックシステムがある。この特開平０６−２７６１４８号公報２００１−２４５３５４号公報に開示された移動体無線機器の電子ロックシステムは、移動体無線機器と１つ以上の無線発信機とを用いているもので、移動体無線機器本体内に予め決められた固有のデジタルコードをメモリに記憶させておき、いずれかの無線発信機から無線信号が送信されたとき、移動体無線機器はその無線信号を受信した後、無線信号中のデジタルコードを取得し、取得したデジタルコードがメモリに記憶されているデジタルコードと一致したとき、電子ロックを解錠させてシステムを使用可能にし、一方、デジタルコードがメモリに記憶されているデジタルコードと一致しないとき、電子ロックを解錠させないでシステムの使用できない状態を持続させるようにしているものである。
【０００３】
ここで、図２は、かかる特開平０６−２７６１４８号公報に開示された移動体無線機器の電子ロックシステムの構成の概要を示すブロック構成図である。
【０００４】
図２に図示されるように、この移動体無線機器の電子ロックシステムは、移動体無線機器本体２１と複数の無線発信機２２、２３とからなっている。そして、移動体無線機器本体２１は、受信アンテナ２４と、受信回路２５と、復調回路２６と、不揮発性メモリ２７と、表示器２８と、キーパッド２９と、マイクロプロセッサ３０とを有しており、これらの構成要素２４乃至３０は、図２に図示されるように接続されている。この場合、不揮発性メモリ２７には一つの固有のデジタルコードが記憶されており、その固有のデジタルコードは、無線発信機２２に設定されている固有のデジタルコードと同じデジタルコードであって、無線発信機２３に設定されている固有のデジタルコードと異なるデジタルコードである。
【０００５】
前記構成を備えた移動体無線機器の電子ロックシステムは、次のように動作する。
【０００６】
無線発信機２２は、内部設定されている固有のデジタルコードを含んだ無線信号を周期的に送信すると、移動体無線機器本体２１は、受信アンテナ２４と受信回路２５によってその無線信号を受信し、復調回路２６で受信信号を復調して固有のデジタルコードを抽出し、抽出した固有のデジタルコードをマイクロプロセッサ３０に供給する。このとき、マイクロプロセッサ３０は、供給された固有のデジタルコードを解析し、その固有のデジタルコードが不揮発性メモリ２７に記憶されている固有のデジタルコードと一致するので、電子ロックシステムが施錠されているかまたは解錠されているかを判断し、施錠されていればその施錠を解錠させ、表示器２８に電子ロックシステムが解錠されたことを表示する。
【０００７】
一方、無線発信機２３は、内部設定されている固有のデジタルコードを含んだ無線信号を同じく周期的に送信すると、移動体無線機器本体２１は、受信アンテナ２４と受信回路２５によってその無線信号を受信し、復調回路２６で受信信号を復調して固有のデジタルコードを抽出し、抽出した固有のデジタルコードをマイクロプロセッサ３０に供給する。このときも、マイクロプロセッサ３０は、供給された固有のデジタルコードを解析し、その固有のデジタルコードが不揮発性メモリ２７に記憶されている固有のデジタルコードと一致しないので、電子ロックシステムが施錠されているかまたは解錠されているかを判断し、解錠されていれば電子ロックシステムを施錠させ、表示器２８に電子ロックシステムが施錠されたことを表示する。
【０００８】
このように、この移動体無線機器の電子ロックシステムによれば、移動体無線機器本体２１は、移動体無線機器本体２１の近傍に無線発信機２２が存在していたとすれば、無線発信機２２から送信された固有のデジタルコードを含んだ無線信号を受信することによりその電子ロックシステムが解錠され、その解錠状態は無線発信機２２が移動体無線機器本体２１の近傍に存在する間中持続されるものであり、一方、移動体無線機器本体２１の近傍に無線発信機２３だけが持続的に存在していたとすれば、無線発信機２３から送信された固有のデジタルコードを含んだ無線信号を受信することによりその電子ロックシステムが施錠されるものである。
【特許文献１】特開２００１−２４５３５４号公報
【発明の開示】
【発明が解決しようとする課題】
【０００９】
ところで、前記既知の移動体無線機器の電子ロックシステムは、移動体無線機器本体２１は、その近傍に無線発信機２２が存在していれば、無線発信機２２が存在する間中、電子ロックシステムが解錠されて移動体無線機器本体２１が使用可能になる。一方、移動体無線機器本体２１は、当初、その近傍に無線発信機２２が存在し、電子ロックシステムが一旦解錠されて使用可能状態になっても、その近傍に無線発信機２２が存在しなくなると、直ちに電子ロックシステムが施錠され、使用できない状態になってしまう。
【００１０】
このため、無線発信機２２の携帯保持者が移動体無線機器本体２１の近傍にいて移動体無線機器本体２１を使用可能状態にして、移動体無線機器本体２１を用いた通信伝送を行っている際に、それに続けて移動体無線機器本体２１を用いた通信伝送を他の者に使用させたり貸与し、無線発信機２２の携帯保持者が移動体無線機器本体２１の近傍から一時的に離れた場合、移動体無線機器本体２１は、無線発信機２２からの無線信号を受信できなくなるので、携帯保持者が離れてから比較的早い時点に、その電子ロックシステムが施錠され、以後、移動体無線機器本体２１を使用できなくなってしまう。
【００１１】
本発明は、このような技術的背景に鑑みてなされたもので、その目的は、携帯電話機のダイヤルロックを一旦解除した場合、携帯電話機の通信伝送状態が引き続いていれば、その間中ダイヤルロック解除ができないようにし、携帯電話機利用時の利便性を高めた携帯電話機のダイヤルロックシステムを提供することにある。
【課題を解決するための手段】
【００１２】
前記目的を達成するために、本発明による携帯電話機のダイヤルロックシステムは、携帯電話機とロック解除装置とを用い、特定使用者だけに発信が許容されるシステムであって、ロック解除装置は、携帯可能であって、特定使用者により予め指定したロック解除コードを含む微弱電力の電波を周期的に送信できるように動作し、携帯電話機は、ロック解除装置が送信する予め指定したロック解除コードを記憶するコード記憶手段と、ロック解除装置からの送信電波を受けたときにその中のロック解除コードを検出するコード検出手段と、送受信信号を形成する送受信制御手段とを備え、キー操作によって基地局への接続指令が発生したとき、送受信制御手段は、キー操作する前にコード検出手段により検出したロック解除コードとコード記憶手段に記憶されているロック解除コードとを比較し、それらのコードが一致した場合に送受信制御手段を通して基地局への接続を行い、それらのコードが一致しない場合に基地局への接続を行わない構成手段を具備する。
【００１３】
この場合、携帯電話機と基地局との接続状態は、一旦接続されると、携帯電話機がロック解除コードを含む微弱電力の電波の受信が途切れても、携帯電話機と基地局との間の接続状態の終了処理が行われるまで持続するものである。
【発明の効果】
【００１４】
以上説明したように、本発明による携帯電話機のダイヤルロックシステムによれば、ロック解除装置が携帯電話機の近傍から離れて、携帯電話機におけるロック解除装置から送信されるロック解除コードを含む微弱電力の電波の受信が途切れたとしても、携帯電話機と基地局との接続状態がそのまま持続されるので、携帯電話機と基地局との間で行われている必要なとする通信伝送をそのまま持続させることができ、携帯電話機利用時の利便性を高めることができるという効果がある。
【発明を実施するための最良の形態】
【００１５】
以下、本発明の実施の形態を図面を参照して説明する。
【００１６】
図１は、本発明による携帯電話機のダイヤルロックシステムの一つの実施の形態に係わるもので、その要部構成を示すブロック構成図である。
【００１７】
図１に示されるように、この実施の形態による携帯電話機のダイヤルロックシステムは、携帯電話機１と携帯可能なロック解除装置２とからなっており、携帯電話機１とロック解除装置２とは通常同じ使用者（特定使用者）が併せて携帯しているものである。この場合、携帯電話機１は、送受信制御部３（１）と中央制御部（ＣＰＵ）３（２）とＲＡＭ３（３）とＲＯＭ３（４）とからなり、携帯電話機１の各部を統括制御する制御部３と、無線信号の送受信を行う送受信部４と、各種の情報や携帯電話機１の状態等を表示する表示部５と、携帯電話機１の各部に動作電力を供給する電源部６と、キー操作により各種の情報やデータを入力させる入力部７と、ロック解除コードを含む無線信号を受信するロック解除コード受信部８と、携帯電話機１に固有のコードを記憶するコード記憶部９と、動作状態の時限設定をするタイマ回路１０と、無線信号の送受信を行うアンテナ１１とからなっている。また、ロック解除装置２は、ロック解除コードを記憶するコード記憶部１２（１）を内蔵し、ロック解除装置２の各部を制御する制御部１２と、ロック解除コードを含む無線信号を送信するロック解除コード送信部１３と、ロック解除装置２の各部に動作電力を供給する電源部１４とからなっている。
【００１８】
そして、携帯電話機１において、制御部３は、送受信制御部３（１）とＲＡＭ３（３）とＲＯＭ３（４）とが中央制御部３（２）に接続され、送受信制御部３（１）が送受信部４に接続され、中央制御部３（２）は、表示部５と入力部７とロック解除コード受信部８とコード記憶部９とタイマ回路１０にそれぞれ接続されている。また、送受信部４は、アンテナ１１に接続される。ロック解除装置２において、制御部１２がロック解除コード送信部１３に接続されている。
【００１９】
前記構成を有するこの実施の形態による携帯電話機のダイヤルロックシステムは、次のように動作する。
【００２０】
始めに、この携帯電話機のダイヤルロックシステムを動作させるに先立って、携帯電話機１のコード記憶部９と、ロック解除装置２のコード記憶部１２（１）のそれぞれに、このシステムで使用される固有のロック解除コードを記憶させておく。そして、携帯電話機のダイヤルロックシステムを動作時には、特定使用者が携帯電話機１とロック解除装置２の電源を投入し、それらを近接状態、例えば１乃至２ｍ以内の範囲に近接配置すると、ロック解除装置２は、制御部１２の制御によって、コード記憶部１２（１）に記憶されている固有のロック解除コードを読み出し、読み出したロック解除コードをロック解除コード受信部１３に供給し、ロック解除コード受信部１３からロック解除コードを含む微弱電波を携帯電話機１に無線送信する。この場合、ロック解除装置２からの当該微弱電波の送信は、周期的に、例えば１０秒間隔で連続して行われる。
【００２１】
携帯電話機１は、制御部３の制御によって、ロック解除コード受信部８がロック解除装置２から送信した微弱電波を受信すると、その受信信号の中からロック解除コードを抽出し、抽出したロック解除コードを制御部３に供給する。このとき、制御部３は、コード記憶部９に記憶されているロック解除コードを読み出し、読み出したロック解除コードと供給されたロック解除コードとを比較し、それらのコードが一致いると判断すると、携帯電話機１に設定されていたダイヤルロック状態を解除させ、以後、入力部７の一連の操作に基づくダイヤル操作を有効とし、携帯電話機１からの発信処理等を行うことができるようになる。
【００２２】
一方で、携帯電話機１は、ロック解除コード受信部８がロック解除装置２から送信した微弱電波を受信できなかったり、受信できたとしても、２つのロック解除コードの比較によってそれらの間に不一致があると判断したときは、携帯電話機１に設定されていたダイヤルロック状態の解除が行われず、入力部７の一連の操作に基づくダイヤル操作を無効として表示部５にロック解除コードが無効である等の表示を行うものである。
【００２３】
この場合、携帯電話機１は、携帯電話機１に設定されていたダイヤルロック状態が一旦解除されると、解除された直後に携帯電話機１の入力部７の一連の操作に基づくダイヤル操作を行えば、携帯電話機１と他の機器、例えば基地局との間で通信可能な状態になる。そして、この通信可能な状態は、ロック解除装置２から送信される微弱電波を受信が継続している間だけでなく、ロック解除装置２から送信される微弱電波を受信がとだえた場合でも、携帯電話機１と基地局との間の通信が続行されていれば、その通信可能な状態が継続的に持続されるものである。そして、携帯電話機１と基地局との間の通信が終了し、携帯電話機１において通信終了処理を行えば、その後ロック解除装置２から送信される微弱電波を受信がとだえれば、直ちに携帯電話機１にダイヤルロック状態に設定され、以後、ロック解除装置２から送信される微弱電波を受信ができるまで、そのダイヤルロック状態の設定が持続される。
【００２４】
このように、この実施の形態による携帯電話機のダイヤルロックシステムによれば、ロック解除装置２が携帯電話機１の近傍から離れ、携帯電話機１におけるロック解除装置２から送信されるロック解除コードを含む微弱電力の電波の受信が途切れたとしても、携帯電話機１と基地局との接続状態がそのまま持続されるので、携帯電話機１と基地局との間で行われている必要とする通信伝送をそのまま持続させることができ、携帯電話機１の利便性を高めることができる。
【図面の簡単な説明】
【００２５】
【図１】本発明による携帯電話機のダイヤルロックシステムの一つの実施の形態に係わるもので、その要部構成を示すブロック構成図である。
【図２】特開平０６−２７６１４８号公報に開示された移動体無線機器の電子ロックシステムの構成の概要を示すブロック構成図である。
【符号の説明】
【００２６】
１  携帯電話機
２  ロック解除装置
３  制御部
３（１）  送受信制御部
３（２）  中央制御部（ＣＰＵ）
３（３）  ＲＡＭ
３（４）  ＲＯＭ
４  送受信部
５  表示部
６  電源部
７  入力部
８  ロック解除コード受信部
９  コード記憶部
１０  タイマ回路
１１  アンテナ
１２  制御部
１２（１）  コード記憶部
１３  ロック解除コード送信部
１４  電源部
【図１】
2007281935.tif 000003
【図２】
2007281935.tif 000004